(57)【要約】【課題】無線充電中においては、電子機器は、ＡＣ電源に接続された無線充電器本体に載置される。このため、ユーザは、無線充電中に電子機器を操作して電子機器に処理を実行させることが困難となるので、電子機器が充電状態となっている時間を有効に利用することができなかった。【解決手段】電子機器は、無線充電部による無線充電処理とは異なる処理であって、無線充電処理を実行する無線充電動作に伴って実行する予約処理を実行するか否かを受け付ける受付部と、無線充電動作に伴って予約処理を実行する処理制御部とを備える。【選択図】図１
2013132139.tif 000002
【特許請求の範囲】
【請求項１】
無線充電部による無線充電処理とは異なる処理であって、前記無線充電処理を実行する無線充電動作に伴って実行する予約処理を実行するか否かを受け付ける受付部と、
前記無線充電動作に伴って前記予約処理を実行する処理制御部と
を備える電子機器。
【請求項２】
前記無線充電動作に伴って、前記処理制御部が前記予約処理を実行するための電源状態に遷移する電源制御部を備える請求項１に記載の電子機器。
【請求項３】
有線充電部を備え、
前記処理制御部は、前記有線充電部による充電動作においては前記予約処理を実行しない請求項１または２に記載の電子機器。
【請求項４】
前記受付部は、複数の前記予約処理の予約を受け付ける請求項１から３のいずれか１項に記載の電子機器。
【請求項５】
前記受付部は、前記予約処理の実行順を受け付ける請求項４に記載の電子機器。
【請求項６】
前記処理制御部は、前記無線充電部が給電部から電力供給を受けていない期間に、複数の前記予約処理の少なくとも一部を実行する請求項４または５に記載の電子機器。
【請求項７】
前記処理制御部は、前記無線充電部が前記給電部から前記電力供給を受けることが可能な状態であっても、前記電力供給を停止させて、複数の前記予約処理の少なくとも一部を実行する請求項６に記載の電子機器。
【請求項８】
前記処理制御部は、前記無線充電部による充電が完了してから、複数の前記予約処理の少なくとも一部を実行する請求項６または７に記載の電子機器。
【請求項９】
前記処理制御部は、前記給電部とは異なる通信先と通信する無線通信部を用いて実行する前記予約処理を、前記無線充電部が前記給電部から前記電力供給を受けていない期間に実行する請求項６から８のいずれか１項に記載の電子機器。
【請求項１０】
前記処理制御部は、前記無線充電部が給電部から電力供給を受けることができなくなった場合に、前記予約処理を中断する請求項４から９のいずれか１項に記載の電子機器。
【請求項１１】
前記受付部は、前記処理制御部から前記予約処理の中断情報を取得して、前記予約を更新する請求項１０に記載の電子機器。
【請求項１２】
前記処理制御部が前記予約処理を中断した場合に、前記予約処理の処理状況をユーザに視認できる態様で表示部に表示する表示制御部を備える請求項１０または１１に記載の電子機器。
【請求項１３】
少なくとも前記無線充電部が給電部から電力供給を受けている期間に、前記処理制御部が前記予約処理を実行しているか否かを区別してユーザに告知する告知部を備える請求項４から１２のいずれか１項に記載の電子機器。
【請求項１４】
撮像部と、
請求項４から１３のいずれか１項に記載の電子機器と
を備え、
前記処理制御部は、前記撮像部によって撮像された画像データを複数の前記予約処理の少なくとも一部として実行する撮像装置。
【請求項１５】
無線充電部による無線充電処理とは異なる処理であって、前記無線充電処理を実行する無線充電動作に伴って実行する予約処理をユーザから受け付ける受付ステップと、
前記無線充電動作に伴って前記予約処理を実行する処理制御ステップと
をコンピュータに実行させる電子機器の制御プログラム。
【発明の詳細な説明】
【技術分野】
【０００１】
本発明は、電子機器、撮像装置、および電子機器の制御プログラムに関する。
【背景技術】
【０００２】
無線充電器を用いて、非接触にて充電を行うことができるデジタルカメラ等の電子機器が知られている。
［先行技術文献］
［特許文献］
［特許文献１］  特開２０１１−３６１２５号公報
【発明の概要】
【発明が解決しようとする課題】
【０００３】
無線充電中においては、電子機器は、ＡＣ電源に接続された無線充電器本体に載置される。このため、ユーザは、無線充電中に電子機器を操作して電子機器に処理を実行させることが困難となるので、電子機器が充電状態となっている時間を有効に利用することができなかった。
【課題を解決するための手段】
【０００４】
本発明の第１の態様における電子機器は、無線充電部による無線充電処理とは異なる処理であって、無線充電処理を実行する無線充電動作に伴って実行する予約処理を実行するか否かを受け付ける受付部と、無線充電動作に伴って予約処理を実行する処理制御部とを備える。
【０００５】
本発明の第２の態様における撮像装置は、撮像部と、上記電子機器とを備え、処理制御部は、撮像部によって撮像された画像データを複数の処理の少なくとも一部として実行する。
【０００６】
本発明の第３の態様における電子機器の制御プログラムは、無線充電部による無線充電処理とは異なる処理であって、前記無線充電処理を実行する無線充電動作に伴って実行する予約処理をユーザから受け付ける受付ステップと、前記無線充電動作に伴って前記予約処理を実行する処理制御ステップとをコンピュータに実行させる。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】本発明の一実施形態に係るデジタルカメラおよび充電器と、充電器に接続されたＰＣの外観図である。
【図２】図１に示すデジタルカメラと充電器のブロック図である。
【図３】一括処理設定を行う予約処理設定画面を示す図である。
【図４】ＲＡＷ現像設定画面を示す図である。
【図５】画像選択画面を示す図である。
【図６】予約処理の決定画面を示す図である。
【図７】個別処理設定を行う予約処理設定画面を示す図である。
【図８】充電動作に伴って実行される処理の動作フローを示すフローチャートである。
【図９】進行状況画面を示す図である。
【発明を実施するための形態】
【０００９】
以下、発明の実施の形態を通じて本発明を説明するが、以下の実施形態は、特許請求の範囲に係る発明を限定するものではない。また、実施形態の中で説明されている特徴の組み合わせの全てが、発明の解決手段に必須であるとは限らない。
【００１０】
図１は、本発明の一実施形態に係るデジタルカメラ１００および充電器２００と、充電器２００に接続されたＰＣの外観図を示す。デジタルカメラ１００は、充電器２００に載置されて充電される。本実施形態に係るデジタルカメラ１００と充電器２００は、例えば磁気共鳴方式である無線形式を採用する。
【００１１】
デジタルカメラ１００は、交換レンズ１１０とカメラ本体１２０とが組み合わされて、カメラとしての機能を発揮する。交換レンズ１１０は、焦点距離等が異なる複数の種類があり、ユーザは、撮影目的に応じて任意の一つをカメラ本体１２０へ装着することができる。
【００１２】
カメラ本体１２０は、背面側に液晶パネル等により構成される表示部１２１を備える。表示部１２１は、使用時においてはライブビュー画像、再生画像、メニュー等を表示するとともに、後述するように、無線充電動作に伴って実行させる予約処理を予約するための情報を表示する。カメラ本体１２０の背面には、各種の操作部材１２２が設けられている。ユーザは、これらの操作部材１２２を操作して、デジタルカメラ１００に指示を与える。例えば、ユーザは、操作部材１２２の一つである十字ボタン１２３の操作により、表示部１２１に表示されるカーソルを上下左右に動かす。そして、ユーザは、操作部材１２２の一つである決定ボタン１２４の操作により、アクティブとなっているメニュー項目の設定をカメラに指示する。なお、操作部材１２２の一つとして、表示部１２１に重ねて配設するタッチパネルを採用しても良い。
【００１３】
また、カメラ本体１２０の背面には、デジタルカメラ１００の充電状態の進行をユーザに報知する第一のＬＥＤ１２５と、無線充電動作に伴って後述する予約処理が実行されている旨をユーザに報知する第二のＬＥＤ１２６とが、それぞれ設けられている。なお、ＬＥＤ１２５，１２６の具体的な動作については後述する。
【００１４】
充電器２００は、家庭用ＡＣ電源３００に接続する電源ケーブル２１０と、家庭用ＡＣ電源３００からの電力供給をＯＮ／ＯＦＦするスイッチ２１１と、スピーカ２１２とを備える。充電器２００の上面２２０は、デジタルカメラ１００を載置するだけの十分な面積を有している。そして、この上面２２０は、ユーザがデジタルカメラ１００を簡単に載置できるように、平坦に構成されている。ユーザは、スイッチ２１１をＯＮにして上面２２０にデジタルカメラ１００を載置すれば、デジタルカメラ１００を無線充電することができる。
【００１５】
スピーカ２１２は、充電器２００がデジタルカメラ１００から受け取った情報、あるいは受け取るべき情報が受け取れない旨の情報を音でユーザに知らせる役割を担う。例えば、スピーカ２１２は、デジタルカメラ１００の充電が完了した旨、または後述する予約処理の完了を報知する。また、スピーカ２１２は、デジタルカメラ１００が載置されているにも関わらず無線充電が開始できない場合などに、警告音を発してユーザに報知する機能を有していてもよい。
【００１６】
充電器２００には、ＰＣ４００が、例えばＵＳＢケーブルによって構成される通信ケーブル４０１を介して接続されている。ＰＣ４００は、後述するように、デジタルカメラ１００から充電器２００を介して転送される画像データ等を受け取る。そして、ＰＣ４００は、内蔵するプログラムを用いて、これら画像データに対して各種処理を実行する。また、ＰＣ４００は、処理した画像データを、再度デジタルカメラ１００に送信することができるとともに、他の外部機器、または外部ネットワークに送信することもできる。
【００１７】
本実施形態に係るデジタルカメラ１００は、ユーザが機器の操作をすることが困難となる充電動作中に、ユーザが予約設定した画像処理等の各種処理を実行する。これにより、ユーザは、デジタルカメラ１００が充電状態となっている時間を有効に利用することができる。
【００１８】
図２は、デジタルカメラ１００と充電器２００のブロック図を示す。なお、図２は、デジタルカメラ１００が充電器２００上に載置され、充電器２００から給電を受けている状態を示しているが、まず、デジタルカメラ１００の撮影時の動作について以下に説明する。ユーザは、デジタルカメラ１００を充電器２００から取り外し、被写体の撮影を行う。被写体像は、光軸１０１に沿って光学系を透過し、撮像部としての撮像素子１３０の受光面に結像する。光学系は、ズームレンズ１１６等を含む。光学系は、レンズシステム制御部１１２によって制御される。例えば、レンズシステム制御部１１２は、モータ駆動回路１１３を介してズームレンズ１１６を移動させる。
【００１９】
また、レンズシステム制御部１１２は、交換レンズ１１０の特性を記録するレンズメモリ１１５から、当該特性を読み出す。レンズメモリ１１５は、例えば、ズームレンズ１１６のズーム倍率等を記録する不揮発性メモリである。
【００２０】
レンズシステム制御部１１２は、レンズマウント接点１１９およびカメラマウント接点１２９を介して、処理制御部としてのカメラシステム制御部１３１と接続され、相互に通信を実行しつつ協働して交換レンズ１１０とカメラ本体１２０を制御する。なお、レンズマウント接点１１９およびカメラマウント接点１２９は、それぞれ上述の交換レンズ１１０側の通信端子およびカメラ本体１２０側の通信端子を含む。また、カメラ本体１２０側から交換レンズ１１０側へ電力を供給する、交換レンズ１１０側の電力被供給端子およびカメラ本体１２０側の電力供給端子を含む。
【００２１】
撮像素子１３０は、光学系を透過して入射する被写体像である光学像を光電変換する素子であり、例えば、ＣＣＤ、ＣＭＯＳセンサが用いられる。撮像素子１３０で光電変換された被写体像は、Ａ／Ｄ変換器１３３でアナログ信号からデジタル信号に変換される。撮像素子１３０の電荷読み出し制御およびＡ／Ｄ変換器１３３の変換制御は、カメラシステム制御部１３１の同期制御を受けた撮像素子駆動回路１３２が供給するクロック信号によって、同期が計られる。カメラシステム制御部１３１、撮像素子駆動回路１３２、およびＡ／Ｄ変換器１３３は、協働して、撮像素子１３０の定められた画素範囲内において特定画素の出力を選択的にデジタル信号に変換することもできる。
【００２２】
デジタル信号に変換された被写体像は、画像データとして順次処理される。Ａ／Ｄ変換器１３３によりデジタル信号に変換された画像データは、画像処理部１３４へ引き渡される。本実施形態に係るデジタルカメラ１００は、デジタル信号に変換された画像データを、ＲＡＷ画像データ、またはＪＰＥＧ等の規格化された画像フォーマットの画像データとして記録することができる。画像データをＲＡＷ画像データとして記録する場合、ＲＡＷ画像データは、メモリカード１５０の記録部１５１に送られ、撮像素子１３０の出力値として記録される。
【００２３】
本実施形態においては、ユーザは、無線充電動作に伴ってＲＡＷ現像等の画像処理を実行させるように予約処理の設定をすることができる。ここで、例えばユーザによってＲＡＷ現像の予約処理が設定された場合、カメラシステム制御部１３１は、記録部１５１からＲＡＷ画像データを読み出し、無線充電動作に伴って当該ＲＡＷ画像データに対して処理を実行することとなる。なお、これらの具体的な処理については、後に詳述する。
【００２４】
画像データを規格化された画像フォーマットとして記録する場合、画像処理部１３４は、Ａ／Ｄ変換器１３３によってデジタル信号に変換された画像データを、設定されている撮影モードまたはユーザからの指示に従って、規格化された画像フォーマットの画像データに変換する。例えば、静止画像としてＪＰＥＧファイルを生成する場合、色変換処理、ガンマ処理、ホワイトバランス処理等の画像処理を行った後に適応離散コサイン変換等を施して圧縮処理を行う。また、動画像としてＭＰＥＧファイルを生成する場合、生成された連続する静止画としてのフレーム画像に対して、フレーム内符号化、フレーム間符号化を施して圧縮処理を行う。
【００２５】
Ａ／Ｄ変換器１３３から画像処理部１３４へ入力される画像データ量が画像処理部１３４の処理能力を上回る場合は、未処理の画像データは、カメラシステム制御部１３１の制御により一旦内部メモリ１３６へ記憶される。つまり、内部メモリ１３６は、連写撮影、動画撮影において高速に連続して画像データが生成される場合に、画像処理の順番を待つバッファメモリとしての役割を担う。内部メモリ１３６は、高速で読み書きのできるランダムアクセスメモリであり、例えばＤＲＡＭ、ＳＲＡＭなどが用いられる。また、内部メモリ１３６は、画像処理部１３４が行う画像処理、圧縮処理において、ワークメモリとしての役割も担う。内部メモリ１３６は、これらの役割を担うに相当する十分なメモリ容量を備える。
【００２６】
画像処理部１３４によって処理された静止画像データ、および動画像データは、記録制御部１３８の制御により、内部メモリ１３６から、メモリカード１５０の記録部１５１に記録される。メモリカード１５０は、フラッシュメモリ等により構成される、カメラ本体１２０に対して着脱可能な不揮発性メモリである。
【００２７】
画像処理部１３４は、記録用に処理される画像データに並行して、表示用の画像データを生成する。生成された表示用の画像データは、表示制御部１３７の制御に従って、表示部１２１に表示される。記録の有無に関わらず、カメラシステム制御部１３１が、画像処理部１３４に逐次表示用の画像データを生成させ、表示部１２１に表示させれば、デジタルカメラ１００は、電子ファインダ機能としてのライブビューを実現できる。また、カメラシステム制御部１３１は、画像の表示と共に、もしくは画像を表示することなく、デジタルカメラ１００の各種設定に関する様々なメニュー項目も、表示制御部１３７を介して表示部１２１に表示させることができる。同様に、カメラシステム制御部１３１は、後述する無線充電動作に伴って実行される予約処理に関する情報も表示部１２１に表示させる。
【００２８】
デジタルカメラ１００は、上記の画像処理における各々の要素も含めて、カメラシステム制御部１３１により直接的または間接的に制御される。カメラシステム制御部１３１は、システムメモリ１３５と通信する。システムメモリ１３５は、電気的に消去・記録可能な不揮発性メモリであり、例えばＥＥＰＲＯＭ（登録商標）等により構成される。システムメモリ１３５は、デジタルカメラ１００の動作時に必要な定数、変数、プログラム等を、デジタルカメラ１００の非動作時にも失われないように記録している。カメラシステム制御部１３１は、定数、変数、プログラム等を適宜内部メモリ１３６に展開して、デジタルカメラ１００の制御に利用する。
【００２９】
カメラ本体１２０は、ユーザからの操作を受け付ける十字キー等の操作部材１２２を複数備えている。操作受付部１３９は、これら操作部材１２２が操作されたことを受け付けてカメラシステム制御部１３１へ受付結果を出力する。カメラシステム制御部１３１は、ユーザの操作に応じた動作を実行する。
【００３０】
無線通信部１４２は、Ｂｌｕｅｔｏｏｔｈ（登録商標）などの近距離無線通信プロトコルを採用する通信部であり、後述する充電通信部２０２と通信して、デジタルカメラ１００の情報を送信したり、充電器２００の情報を受信したりする。
【００３１】
デジタルカメラ１００は、ＧＰＳユニット１４０を備える。ＧＰＳユニット１４０は、ＧＰＳ受信器およびアンテナを含む。ＧＰＳユニット１４０は、複数のＧＰＳ衛星が発信したＧＰＳ信号をアンテナで受信して、ＧＰＳ受信器により測地演算することにより、当該ＧＰＳユニット１４０の位置情報を出力する。カメラシステム制御部１３１は、ＧＰＳユニット１４０によって出力された位置情報をシステムメモリ１３５へ送る。そして、システムメモリ１３５に記憶された位置情報は、書き換えられ、現在地の位置情報に更新される。
【００３２】
なお、カメラシステム制御部１３１は、更新された位置情報を用いて、例えばユーザがデジタルカメラ１００を用いて被写体の撮影を行った場合に、撮影された画像データに、現在地の位置情報を関連付けて記録部１５１に記録する。例えば、現在地の位置情報は、Ｅｘｉｆ情報として画像データに付加されてもよい。また、記録部１５１は、地図情報、または施設情報を記録してもよい。そして、カメラシステム制御部１３１は、画像データに関連付けられた位置情報を参照して、撮影された画像、地図、施設、および撮影場所を表示部１２１に表示させてもよい。
【００３３】
次に、デジタルカメラ１００の無線充電時の動作について説明する。ユーザは、図１および図２に示すようにデジタルカメラ１００を充電器２００に載置し、デジタルカメラ１００を無線充電する。デジタルカメラ１００は、デジタルカメラ１００を駆動するための電力を蓄電する二次電池１４４と、無線充電部としての受電回路１４３とを備える。二次電池１４４は、ニッケル水素電池、リチウムイオン電池などの繰り返し充電できる電池である。受電回路１４３は、受電コイルを有する。受電回路１４３は、後述する給電回路２０３から受け取った電力により二次電池１４４を充電する。また、受電回路１４３は、二次電池１４４の電力の充電容量を検出する回路を含む。デジタルカメラ１００は、カメラ本体１２０のみならず、交換レンズ１１０も、二次電池１４４から電力供給を受ける。
【００３４】
なお、受電回路１４３は、給電回路２０３から受け取った電力を、二次電池１４４だけでなく、デジタルカメラ１００の各要素に供給してもよい。具体的には、受電回路１４３は、給電回路２０３から受け取った電力によって二次電池１４４を充電するとともに、デジタルカメラ１００の各要素に電力を供給する。そして、カメラシステム制御部１３１は、受電回路１４３を介して充電器２００から供給される電力で、予約処理を実行する。したがって、充電処理と予約処理とは、並行して実行される。
【００３５】
また、受電回路１４３は、給電回路２０３から受け取った電力を、二次電池１４４へ送ることなく、デジタルカメラ１００の各要素に直接供給してもよい。具体的には、受電回路１４３は、二次電池１４４の充電が完了する前においては、二次電池１４４に優先的に電力を供給する。そして、二次電池１４４の充電が完了すると、カメラシステム制御部１３１は、二次電池１４４へ電力を供給する経路を、デジタルカメラ１００の各要素に電力を供給する経路へと切り替える。そして、受電回路１４３は、給電回路２０３から受け取った電力を、デジタルカメラ１００の各要素に直接供給する。この場合、カメラシステム制御部１３１は、受電回路１４３を介して充電器２００から供給される電力で、二次電池１４４に充電された電力を消費することなく、予約処理を実行する。このため、ユーザは、新たにデジタルカメラ１００を使用するにあたり、二次電池１４４が満充電となった状態で使用することができる。
【００３６】
充電器２００は、充電制御部２０１により制御される。電源ケーブル２１０を介して家庭用ＡＣ電源３００から供給される電力は、給電回路２０３によってカメラ本体１２０の受電回路１４３へ伝送される。給電回路２０３は、磁気共鳴方式の場合、給電コイルを有する。充電通信部２０２は、カメラ本体１２０の無線通信部１４２と通信する通信部である。
【００３７】
充電通信部２０２は、例えば、デジタルカメラ１００から画像データ、または二次電池１４４の残容量等の充電情報を受信し、充電制御部２０１へ出力する。充電制御部２０１は、受信された画像データを、上記通信ケーブル４０１を介してＰＣ４００側へと送信する。また、充電制御部２０１は、受信された充電情報を音声出力部２０４へ送信する。音声出力部２０４は、充電情報を音声に変換し、スピーカ２１２を介して発音する。なお、充電制御部２０１は、ＰＣ４００側からデータが送信された場合、このデータを受け取り、充電通信部２０２を介してデジタルカメラ１００に送信する。
【００３８】
カメラシステム制御部１３１は、デジタルカメラ１００が充電器２００上に載置されると、無線充電動作を実行する。本実施形態に係る無線充電動作とは、各種の無線充電処理から構成される一連のシーケンスを示す。ここで、無線充電処理とは、デジタルカメラ１００の無線充電のために実行される処理である。具体的には、カメラシステム制御部１３１は、無線充電処理として、無線通信部１４２を介して充電制御部２０１に指令を送り、給電回路２０３から受電回路１４３へ電力を伝送させる。また、カメラシステム制御部１３１は、受電回路１４３を監視し、二次電池１４４の充電が完了した場合に、充電制御部２０１に指令を送り、電力の伝送を停止させる。この場合において、カメラシステム制御部１３１は、二次電池１４４の残容量が８０％程度となるまで充電された場合に、充電制御部２０１に指令を送り電力の伝送を停止させてもよい。このように、本実施形態に係るカメラシステム制御部１３１は、デジタルカメラ１００が充電器２００上に載置されると、各種の無線充電処理から構成される一連の無線充電動作を実行する。
【００３９】
一方、カメラシステム制御部１３１は、無線充電動作に伴って、無線充電処理とは異なる後述する予約処理を実行する。カメラシステム制御部１３１は、デジタルカメラ１００が充電器２００上に載置され、無線充電が可能な状態となったことを検出する。そして、カメラシステム制御部１３１は、充電可能状態を検出したことをトリガーとして、デジタルカメラ１００の電源モードを、被写体像の撮像等を行う通常モードから、充電モードへと移行させる。
【００４０】
ここで、本実施形態における充電モードとは、デジタルカメラ１００の無線充電処理と、後述する予約処理とを実行する電源モードである。すなわち、充電モードにおいては、カメラシステム制御部１３１は、光学系部材および撮像系部材等の被写体像の撮像に関わる部材への電力供給を低減する。より具体的には、充電モードは、デジタルカメラ１００が無線充電処理のみを実行する第一の充電モードと、無線充電処理と予約処理とを平行して実行する第二の充電モードと、予約処理のみを実行する第三の充電モードとを含む。
【００４１】
第一の充電モードにおいては、カメラシステム制御部１３１は、撮像に要する電力と、予約処理の実行に要する電力とを低減することができる。この場合、カメラシステム制御部１３１は、二次電池１４４を充電するのに必要な電力にてデジタルカメラ１００を駆動する。より具体的には、カメラシステム制御部１３１は、少なくとも当該カメラシステム制御部１３１と受電回路１４３とが動作しうる電力を、それぞれに供給する。
【００４２】
第二の充電モードにおいては、カメラシステム制御部１３１は、撮像に要する電力と、無線充電中に実行を保留する予約処理を行うのに要する電力とを低減することができる。この場合、カメラシステム制御部１３１は、無線充電処理と、無線充電中に実行する予約処理とを実行するのに要する電力にてデジタルカメラ１００を駆動する。より具体的には、カメラシステム制御部１３１は、二次電池１４４を制御して、少なくとも当該カメラシステム制御部１３１、受電回路１４３、画像処理部１３４、および記録制御部１３８が動作しうる電力を、それぞれに供給する。なお、第二の充電モードにおいては、受電回路１４３は、カメラシステム制御部１３１の指令の下、二次電池１４４を充電するとともに、カメラシステム制御部１３１、画像処理部１３４、および記録制御部１３８に、予約処理の実行に要する電力を直接供給してもよい。この場合、カメラシステム制御部１３１は、受電回路１４３を介して充電器２００から供給される電力で、二次電池１４４の充電と予約処理を平行して実行する。
【００４３】
第三の充電モードにおいては、カメラシステム制御部１３１は、撮像に関わる電力と、無線充電処理に必要な電力とを低減することができる。この場合、カメラシステム制御部１３１は、予約処理を実行するのに要する電力にてデジタルカメラ１００を駆動する。より具体的には、カメラシステム制御部１３１は、二次電池１４４を制御して、少なくとも当該カメラシステム制御部１３１、画像処理部１３４、記録制御部１３８、無線通信部１４２、およびＧＰＳユニット１４０が動作しうる電力を、それぞれに供給する。そして、カメラシステム制御部１３１は、二次電池１４４に充電された電力を用いて、予約処理を実行する。この場合において、カメラシステム制御部１３１は、二次電池１４４の残容量が予め定められた閾値よりも少なくなった場合に、充電モードを第三の充電モードから第二の充電モードへ移行させる。予め定められた閾値は、例えば二次電池１４４の残容量の９５％に設定される。
【００４４】
なお、第三の充電モードにおいて、受電回路１４３は、カメラシステム制御部１３１の指令の下、デジタルカメラ１００の各要素に、二次電池１４４を介すことなく、予約処理の実行に要する電力を直接供給してもよい。この場合、カメラシステム制御部１３１は、二次電池１４４に充電された電力を消費することなく、受電回路１４３を介して充電器２００から供給される電力で予約処理を実行する。
【００４５】
なお、カメラシステム制御部１３１が無線充電可能な状態となったことを検出する方法としては、様々な方法を適用することができる。例えば、カメラシステム制御部１３１は、受電回路１４３に設けられた受電コイルの起電力を監視することによって充電可能状態を検出する。また、充電器２００は、荷重センサ、光センサ、または超音波センサ等を用いて充電器２００にデジタルカメラ１００が載置されたことを検出し、その情報を後述する充電通信部２０２を介してカメラシステム制御部１３１へ伝達してもよい。
【００４６】
無線充電が開始されると、カメラシステム制御部１３１は、二次電池１４４の充電状態を監視する。そして、カメラシステム制御部１３１は、充電完了等の充電状態に係る情報を、カメラ本体１２０に設けられた表示部１２１、ＬＥＤ１２５，１２６、または充電器２００に設けられたスピーカ２１２を介して、ユーザに報知する。
【００４７】
一方、デジタルカメラ１００が充電器２００から取り外されると、カメラシステム制御部１３１は、受電回路１４３において受け取る電力が低減したことを検出し、無線充電に伴って実行されていた処理を中断する。そして、カメラシステム制御部１３１は、電源モードを充電モードから通常モードへと移行させる。
【００４８】
このように、カメラシステム制御部１３１は、デジタルカメラ１００が充電器２００に載置されているか否か、すなわち、デジタルカメラ１００が無線充電可能な状態であるか否かを検出する。その結果に基づいて、カメラシステム制御部１３１は、デジタルカメラ１００を駆動する電源モードを切り替える。すなわち、本実施形態に係るカメラシステム制御部１３１は、無線充電の可否に応じて電源モードを切り替える電源制御部として機能する。
【００４９】
以上のような構成において、本実施形態に係るデジタルカメラ１００は、ユーザから無線充電動作中に実行させたい処理の予約を受け付ける。そして、デジタルカメラ１００は、充電器２００による無線充電動作に伴って、予約された処理を実行する。
【００５０】
図３は、充電動作に伴って実行する予約処理の設定を行うユーザインターフェイスの一例を示す。ユーザは、予約処理の設定をする場合、予約処理設定画面５０１を表示部１２１に表示させるように、操作部材１２２を操作する。操作受付部１３９は、ユーザによる操作を受け付けて、当該操作に係る情報をカメラシステム制御部１３１へ出力する。そして、カメラシステム制御部１３１は、ユーザによる操作に従って予約処理設定画面５０１を読み出し、表示制御部１３７を介して表示部１２１に表示させる。その結果、デジタルカメラ１００は、ユーザから処理の予約を受け付けることが可能な状態となる。すなわち、本実施形態においては、操作部材１２２、操作受付部１３９、およびカメラシステム制御部１３１は、予約処理の設定、および予約処理を実行するか否かをユーザから受け付ける受付部として機能する。
【００５１】
本実施形態に係る予約処理設定画面５０１においては、予約処理設定項目５０３と、一括処理設定項目５０４と、画像処理項目５０５と、画像転送項目５０６と、ＧＰＳ情報更新項目５０７とが、それぞれ一覧表示されている。予約処理設定項目５０３は、無線充電動作に伴って下記の各種処理を実行するか否かを選択するための項目である。一括処理設定項目５０４は、複数の画像に対して処理を一括で実行するか否かを選択するための項目である。この一括処理設定項目５０４において、ユーザは、予約した各処理を複数の画像に対して一括で実行させる一括処理設定と、予約した各処理をそれぞれの画像データに対して個別に実行させる個別処理設定とを、選択することができる。具体的には、ユーザは、一括処理設定項目５０４をＯＮとすると、一括処理設定を予約することができ、一括処理設定項目５０４をＯＦＦとすると、個別処理設定を予約することができる。なお、個別処理設定の詳細については、後述する。
【００５２】
画像処理項目５０５は、画像データに対して実行する画像処理を選択するための項目である。本実施形態において選択可能な画像処理としては、図３に示すように、ＲＡＷ現像、美肌、小顔、目強調、エフェクト、フィルター、画像合成、およびリサイズといった各項目が、列挙されている。画像転送項目５０６は、画像処理が施された画像データを、充電器２００を介してＰＣ４００に転送するか否かを選択するための項目である。ＧＰＳ情報更新項目５０７は、システムメモリ１３５に記録された位置情報を更新するか否かを選択するための項目である。
【００５３】
ユーザは、予約処理設定画面５０１において、上記した各項目について、無線充電動作に伴って予約処理を実行させる（ＯＮ）か、否か（ＯＦＦ）を選択することができる。具体的には、ユーザは、十字ボタン１２３を操作し、予約処理設定画面５０１に表示されたカーソル５０２を図３の矢印Ａに示すように上下に移動させる。次いで、ユーザは、ＯＮまたはＯＦＦを選択する項目にカーソル５０２を合わせて、決定ボタン１２４を押す。カメラシステム制御部１３１は、操作受付部１３９を介してユーザによる操作を認識し、当該項目における予約処理の設定をＯＮまたはＯＦＦに設定する。ここで、カメラシステム制御部１３１は、ユーザが決定ボタン１２４を一回押すごとにＯＮ／ＯＦＦの設定を切り替える。なお、カメラシステム制御部１３１は、設定されたＯＮまたはＯＦＦを予約処理設定画面５０１において強調表示させてもよい。これにより、ユーザは、選択されているＯＮ／ＯＦＦ設定を識別することができる。例えば図３に示す実施形態においては、予約処理設定、一括処理設定、ＲＡＷ現像、美肌、小顔、目強調、フィルター、画像転送、およびＧＰＳ情報更新の各項目が、ＯＮ設定とされている。なお、図３に示す予約処理設定画面５０１において、ＲＡＷ現像項目がＯＮ設定とされた場合に、ユーザがＲＡＷ現像の各種パラメータの設定を行うことができてもよい。
【００５４】
図４は、ＲＡＷ現像に係る各種パラメータの設定を行うためのＲＡＷ現像設定画面６０１を示す。ユーザが予約処理設定画面５０１においてＲＡＷ現像項目のＯＮを選択すると、カメラシステム制御部１３１は、図４に示すＲＡＷ現像設定画面６０１を、表示制御部１３７を介して表示部１２１に表示させる。ユーザは、この画面において、画質モード、画像サイズ、ホワイトバランス、露出補正、ピクチャーコントロール、高感度ノイズ低減、色空間、およびＤ−ライティング等のＲＡＷ現像に係る各種パラメータを設定することができる。ＲＡＷ現像に係る各種パラメータを設定した後、ユーザは、カーソル６０２をＲＡＷ現像設定画面６０１に表示された戻るボタン６０３に合わせて、決定ボタン１２４を押す。カメラシステム制御部１３１は、予約処理設定画面５０１を表示部１２１に再度表示させる。
【００５５】
また、上記した画像合成項目をＯＮ設定とした場合に、カメラシステム制御部１３１は、合成する複数の画像を選択する画面を表示部１２１に表示してもよい。これにより、ユーザは、合成の対象となる画像を予め適宜選択することができる。また、画像処理項目５０５における他の画像処理の設定に関しては、公知の如何なる形態を適用することができるので、詳しい説明を省略する。
【００５６】
ここで、一括処理設定について説明する。ユーザは、予約処理設定画面５０１において一括処理設定項目をＯＮとして上記した各種設定を行った後、予約処理設定画面５０１に表示された画像選択ボタン５０８にカーソル５０２を合わせ、決定ボタン１２４を押す。カメラシステム制御部１３１は、予約処理を行う対象画像を選択するための画像選択画面を表示部１２１に表示させる。
【００５７】
図５は、予約処理を行う対象画像を選択するための画像選択画面７０１を示す。本実施形態に係る画像選択画面７０１においては、メモリカード１５０に記録された画像７１１〜画像７１９が、図５に示すように一覧表示される。より具体的には、カメラシステム制御部１３１は、メモリカード１５０に記録された画像７１１〜画像７１９の画像データを読み出す。そして、カメラシステム制御部１３１は、読み出した各画像データを所定ブロックに当て嵌め、画像選択画面７０１のデータを形成する。そして、カメラシステム制御部１３１は、表示制御部１３７を介して、図５に示す画像選択画面７０１を表示部１２１に表示させる。
【００５８】
ユーザが予約処理を行う画像にカーソル７０２を合わせて決定ボタン１２４を押すと、カメラシステム制御部１３１は、カーソル７０２が合わせられた画像を、予約処理の対象画像として決定する。そして、カメラシステム制御部１３１は、各画像７１１〜画像７１９の左上方領域に画定されたチェックボックス７０３に、チェック印７０４を表示させる。その結果、ユーザは、チェック印７０４によって選択画像を識別可能となる。図５に示す実施形態においては、画像７１１、画像７１５、画像７１６、および画像７１８が、予約処理の対象として選択されている。
【００５９】
図６は、画像選択画面７０１に予約処理の決定画面７２１が表示された状態を示す図である。ユーザが画像選択画面７０１に表示されたＯＫボタン７２０にカーソル７０２を、合わせ決定ボタン１２４を押すと、カメラシステム制御部１３１は、表示制御部１３７を介して画像選択画面７０１に予約処理の決定画面７２１を表示させる。ユーザが決定画面７２１においてＹｅｓを選択し決定ボタン１２４を押すと、カメラシステム制御部１３１は、無線充電動作に伴って実行される処理の予約を確定する。そして、カメラシステム制御部１３１は、予約処理の設定をシステムメモリ１３５に記憶する。そして、充電動作が開始されたときに、これら予約処理の設定は読み出され、予約されていた各種処理は、後述する処理フローに従って実行されることとなる。
【００６０】
次に、個別処理設定について説明する。ユーザが予約処理設定画面５０１において一括処理設定項目をＯＦＦに設定すると、図５に示す画像選択画面７０１と同様に、画像が一覧表示された画像選択画面が表示される。そして、ユーザが個別予約処理の対象画像を選択すると、カメラシステム制御部１３１は、個別処理設定を行うための予約処理設定画面を表示部１２１に表示させる。
【００６１】
図７は、個別処理設定を行うための予約処理設定画面８０１を示す図である。この実施形態においては、カメラシステム制御部１３１は、予約処理設定画面８０１において、ユーザによって選択された画像８０２を画面の左側領域に表示する。そして、カメラシステム制御部１３１は、選択された画像に対して実行される各種処理項目を画面右側領域に表示する。なお、各種処理項目と予約処理の設定方法は、上記と同様であるので、詳しい説明を省略する。
【００６２】
図８は、無線充電動作に伴って実行される予約処理の動作フローを示すフローチャートを示す。デジタルカメラ１００の電源がＯＮとされると、電源モードが通常モードとなり、本実施形態に係る動作フローが開始される。デジタルカメラ１００が充電器２００に載置されると、上記したように、カメラシステム制御部１３１は、無線充電が可能な状態となったことを検出する（Ｓ１０１）。
【００６３】
次に、カメラシステム制御部１３１は、充電可能状態を検出したことをトリガーとして、電源モードを、被写体像の撮像等を行う通常モードから第一の充電モードへ移行させる（Ｓ１０２）。上記したように、第一の充電モードにおいては、カメラシステム制御部１３１は、撮像に要する電力と、予約処理の実行に要する電力とを低減し、二次電池１４４を充電する動作を実行する。
【００６４】
Ｓ１０２において電源モードが第一の充電モードへ移行された後に、カメラシステム制御部１３１は、無線通信部１４２を介して、充電器２００の充電制御部２０１に無線充電の開始を指令する。充電制御部２０１は、給電回路２０３を制御し、給電コイルから発せられる電磁波を介して、カメラ本体１２０の受電回路１４３へ電力を供給する。これにより、デジタルカメラ１００への無線充電が開始される（Ｓ１０３）。このときに、カメラシステム制御部１３１は、表示制御部１３７を介して第一のＬＥＤ１２５を点灯させ（Ｓ１０４）、デジタルカメラ１００が充電中である旨をユーザに報知する。なお、ＬＥＤ１２５の点灯に限らず、表示部１２１にデジタルカメラ１００が充電中である旨を表示する構成であってもよい。
【００６５】
次に、カメラシステム制御部１３１は、デジタルカメラ１００が無線充電中である場合に実行する処理が予約設定されているか否かを判断する（Ｓ１０５）。ここで、本実施形態に係るデジタルカメラ１００は、図３に示す予約処理設定画面５０１において予約設定された各処理のうち、無線充電中に実行する処理と、無線充電中には実行を保留する処理とを判別し、無線充電の状況に応じて処理を選択的に実行する。これについて、以下に詳細に説明する。
【００６６】
デジタルカメラ１００が無線充電中である場合、充電制御部２０１の給電回路２０３からカメラ本体１２０の受電回路１４３へ、デジタルカメラ１００の動作に影響を及ぼす程の電磁波が発せられる可能性がある。例えば、無線によって外部機器と通信を行う場合においては、無線充電による電磁波によって、無線通信が影響を受けてしまう可能性がある。
【００６７】
そこで、本実施形態においては、カメラシステム制御部１３１は、予約設定された各処理のうち、無線充電中に実行する処理と、無線充電中に実行を保留する処理とを判別する。具体的には、図３に示す各種処理項目のうち、ＲＡＷ現像、美肌、小顔、目強調、エフェクト、フィルター、画像合成、およびリサイズといった画像処理は、電磁波による影響が少ないものと考えられるので、無線充電中に実行する処理として判別される。一方、画像転送およびＧＰＳ情報更新といった無線通信を伴う処理は、電磁波による影響が大きいものと考えられる。このため、これら無線通信を伴う処理は、無線充電中においては処理の実行が保留され、無線充電の前後、または無線充電を停止させた状態において実行する処理として判別される。そして、カメラシステム制御部１３１は、無線充電が実行されているか否かに応じて、これら予約処理を選択的に実行する。
【００６８】
ここで、本実施形態に係るデジタルカメラ１００において、図３に示すように予約処理が設定された場合について具体的に述べる。カメラ本体１２０の受電回路１４３が充電制御部２０１の給電回路２０３から電力供給を受けているときには、カメラシステム制御部１３１は、画像転送およびＧＰＳ情報更新の実行を保留する。そして、カメラシステム制御部１３１は、ＲＡＷ現像、美肌、小顔、目強調、およびフィルターといった画像処理を実行する処理として判別する。
【００６９】
カメラシステム制御部１３１は、無線充電中に実行する処理が予約設定されていると判別すると（Ｓ１０５のＹ）、電源モードを、第一の充電モードから第二の充電モードへ移行する（Ｓ１０６）。上記のように、第二の充電モードにおいては、カメラシステム制御部１３１は、撮像に要する電力と、無線充電中に実行を保留する予約処理を行うのに要する電力とを低減し、二次電池１４４の充電と、無線充電中に実行する予約処理とを行う。これにより、カメラシステム制御部１３１は、二次電池１４４の充電効率を確保しつつ、充電動作に伴って上記予約処理を適切に実行することができる。
【００７０】
画像処理部１３４は、無線充電中に実行する処理として判別された画像処理を実行する（Ｓ１０７）。図５に示す実施形態を例として説明すると、カメラシステム制御部１３１は、画像選択画面７０１において選択された画像７１１、画像７１５、画像７１６、および画像７１８のデータを、メモリカード１５０から読み出し、画像処理部１３４に送る。そして、画像処理部１３４は、無線充電中に実行すると判別した上記画像処理を実行する。
【００７１】
なお、カメラシステム制御部１３１は、上記した各種画像処理を、後述するように無線充電が完了した後、または、充電制御部２０１の給電回路２０３からの電力供給を一旦停止して実行するように制御してもよい。この構成によれば、デジタルカメラ１００において実行される画像処理は、給電回路２０３から発せられる電磁波の影響を受ける虞がない。
【００７２】
Ｓ１０７においてカメラシステム制御部１３１が処理を実行すると、カメラシステム制御部１３１は、表示制御部１３７を介して第二のＬＥＤ１２６を点灯させ（Ｓ１０８）、デジタルカメラ１００において処理が実行中である旨をユーザに報知する。すなわち、すなわち、第二のＬＥＤ１２５は、カメラシステム制御部１３１が処理を実行しているか否かを区別してユーザに告知する告知部として機能する。なお、第二のＬＥＤ１２６の点灯に限らず、表示部１２１にデジタルカメラ１００にて処理が実行中である旨を表示する構成であってもよい。
【００７３】
Ｓ１０８の後に、カメラシステム制御部１３１は、デジタルカメラ１００が充電器２００から取り外された否かを判断する（Ｓ１０９）。具体的には、カメラシステム制御部１３１は、受電回路１４３において受け取る電力が低減したことを検出すると、デジタルカメラ１００が充電器２００から取り外されたと判断する。なお、カメラシステム制御部１３１は、充電器２００に設けられた荷重センサ等から出力される信号によって、デジタルカメラ１００が充電器２００から取り外されたか否かを判断してもよい。
【００７４】
デジタルカメラ１００が充電器２００から取り外されない場合（Ｓ１０９のＮ）、画像処理部１３４は、Ｓ１０７にて開始した画像処理を継続して実行する。具体的には、図５に示すように予約処理の対象画像が選択された場合、画像処理部１３４は、画像７１１、画像７１５、画像７１６、および画像７１８に対して画像処理を継続して実行する。その結果、画像７１１、画像７１５、画像７１６、および画像７１８に対応する画像処理後の新たな画像データが生成される。そして、カメラシステム制御部１３１は、無線充電中に実行する処理が全て完了したか否かを判断する（Ｓ１１０）。Ｓ１１０においてカメラシステム制御部１３１が未完了の処理があると判断すると、Ｓ１０７に戻り、無線充電中に実行する処理を継続する。
【００７５】
Ｓ１１０において、カメラシステム制御部１３１が無線充電中に実行する処理を全て完了したと判断すると（Ｓ１１０のＹ）、カメラシステム制御部１３１は、電源モードを第二の充電モードから第一の充電モードへ移行する（Ｓ１１１）。そして、カメラシステム制御部１３１は、充電が完了したか否かを確認する（Ｓ１１２）。具体的には、カメラシステム制御部１３１は、二次電池１４４の残容量を監視することによって充電が完了したか否かを確認する。二次電池１４４の充電が完了していない場合、カメラシステム制御部１３１は、無線充電を継続して実行する（Ｓ１１２のＮ）。なお、無線充電中に実行する処理を全て完了する前に二次電池１４４の充電が完了した場合、カメラシステム制御部１３１は、電源モードを第二の充電モードから第一の充電モードへ移行し、Ｓ１０７にて開始した画像処理のみを継続して実行する。
【００７６】
Ｓ１１２においてカメラシステム制御部１３１が充電の完了を確認すると（Ｓ１１２のＹ）、カメラシステム制御部１３１は、表示制御部１３７を介して、第一のＬＥＤ１２５を消灯し（Ｓ１１３）、電源モードを第一の充電モードから第三の充電モードへ移行（Ｓ１１４）する。第三の充電モードにおいては、カメラシステム制御部１３１は、撮像に関わる電力と、二次電池１４４の充電に必要な電力とを低減し、Ｓ１０５において保留された処理を実行する。
【００７７】
そして、カメラシステム制御部１３１は、Ｓ１０５において保留されていた処理を実行する（Ｓ１１５）。図３に示すように予約処理の設定がされた場合には、カメラシステム制御部１３１は、Ｓ１０５で画像転送およびＧＰＳ情報更新の処理を保留し、Ｓ１１５において、保留したこれらの処理を実行する。
【００７８】
画像転送処理の一例として、カメラシステム制御部１３１は、Ｓ１１０にて生成された画像処理後の画像データを、無線通信部１４２を介して充電器２００の充電通信部２０２に送信する。充電制御部２０１は、デジタルカメラ１００から受信した画像データを、通信ケーブル４０１を介してＰＣ４００へと送信する。デジタルカメラ１００にて撮像され画像処理が施された画像データは、ＰＣ４００に記録される。また、カメラシステム制御部１３１は、ＧＰＳユニット１４０に測地演算を実行させる。そして、カメラシステム制御部１３１は、ＧＰＳユニット１４０によって出力された位置情報をシステムメモリ１３５へ送り、システムメモリ１３５に記憶された位置情報を、現在地の位置情報に更新する。
【００７９】
なお、Ｓ１０９と同様に、カメラシステム制御部１３１は、Ｓ１１５の後にデジタルカメラ１００が充電器２００から取り外された否かを判断する（Ｓ１１６）。デジタルカメラ１００が充電器２００から取り外されない場合（Ｓ１１６のＮ）、カメラシステム制御部１３１は、Ｓ１１５にて開始した処理を継続して実行する。そして、カメラシステム制御部１３１は、無線充電中に保留していた処理が全て完了したか否かを判断する（Ｓ１１７）。Ｓ１１４においてカメラシステム制御部１３１が未完了の処理があると判断すると（Ｓ１１７のＮ）、Ｓ１１５に戻り、無線充電中に保留されていた処理を継続して実行する。
【００８０】
無線充電中に保留されていた処理が全て完了すると（Ｓ１１７のＹ）、カメラシステム制御部１３１は、表示制御部１３７を介して、第二のＬＥＤ１２６を消灯させる（Ｓ１１８）。そして、カメラシステム制御部１３１は、デジタルカメラ１００の電源モードを、充電モードから電源ＯＦＦモードへと移行させる（Ｓ１１９）。
【００８１】
一方、Ｓ１０９またはＳ１１６においてデジタルカメラ１００が充電器２００から取り外されたと判断されると（Ｓ１０９のＹ、Ｓ１１６のＹ）、カメラシステム制御部１３１は、実行されていた上記各種処理を中断する（Ｓ２０１）。Ｓ２０１において処理を中断した後、カメラシステム制御部１３１は、電源モードを消費電力が低減された充電モードから、被写体像の撮像等を行う通常モードへと移行させる（Ｓ２０２）。そして、カメラシステム制御部１３１は、処理の中断情報を取得し、予約設定されていた処理の進行状況を更新する（Ｓ２０３）。次いで、カメラシステム制御部１３１は、完了した処理状況をユーザに識別可能とするために、表示部１２１に予約設定されていた処理の進行状況を表示させる（Ｓ２０４）。Ｓ２０４の後に、動作フローはＳ１０１へ戻る。なお、カメラシステム制御部１３１は、デジタルカメラ１００が再度充電器２００に載置されたことを検出すると、Ｓ２０１において中断した処理を優先的に実行する。
【００８２】
図９は、Ｓ２０３にて述べた予約処理の進行状況をユーザに報知するための進行状況画面９０１を示す。Ｓ１０８において画像処理の継続中にデジタルカメラ１００が充電器２００から取り外された場合、カメラシステム制御部１３１は、進行状況画面９０１において、デジタルカメラ１００が充電器２００から取り外された時点で処理が完了していた画像を、図５に示す処理前の画像の上に重ねて表示させる。
【００８３】
例えば、図５において処理が予約されていた画像７１１，画像７１５，画像７１６，および画像７１８のうち、デジタルカメラ１００が充電器２００から取り外された時点で、画像７１１，画像７１５，および画像７１６に対して画像処理が完了したとする。この場合、図９に示すように、進行状況画面９０１において、画像処理の結果生成された画像９１１，画像９１５，および画像９１６が、それぞれ処理前の画像の上に重ねて表示される。その一方で、画像処理が完了していない画像７１８の上には、画像が表示されない。このように処理前後の画像を表示することによって、ユーザは、予約設定されていた処理の進行状況を容易に把握することができる。
【００８４】
また、Ｓ１１３において画像転送等の処理の継続中にデジタルカメラ１００が充電器２００から取り外された場合も、カメラシステム制御部１３１は、処理の進行状況を表示部１２１に表示してもよい。例えば、カメラシステム制御部１３１は、上記した進行状況画面９０１と同様に、処理が終了した画像を処理前の画像の上に重ねて表示することによって、ユーザに処理の進行状況を報知してもよい。
【００８５】
なお、カメラシステム制御部１３１は、ステップＳ１１５において、記録部１５１に記録された地図情報を更新してもよい。具体的には、カメラシステム制御部１３１は、外部ザーバから、最新の地図情報のバージョン情報を取得する。そして、カメラシステム制御部１３１は、記録部１５１に記録されている地図情報のバージョン情報と、外部サーバに記録された最新の地図情報のバージョン情報とを比較する。そして、カメラシステム制御部１３１は、デジタルカメラ１００が記録している地図情報のバージョンが最新の地図情報よりも古いと判断した場合に、外部サーバに記録された地図情報を取得する。そして、カメラシステム制御部１３１は、記録部１５１に記録された地図情報を全て、最新の地図情報に更新する。
【００８６】
また、他の実施例として、カメラシステム制御部１３１は、記録部１５１に記録された画像データに付加された位置情報を参照して、ユーザが撮影を行った回数の多い場所の地図を外部サーバから取得する。そして、カメラシステム制御部１３１は、記録部１５１に記録された地図情報の一部を、外部サーバから取得した地図情報に更新する。さらに、カメラシステム制御部１３１は、ユーザが撮影を行った回数の多い場所周辺の施設情報を取得し、記録部１５１に記録してもよい。例えば、カメラシステム制御部１３１は、ステップＳ１１５において、ユーザが撮影を行った回数の多い場所周辺のレストラン情報を取得し、記録部１５１に記録する。そして、カメラシステム制御部１３１は、ユーザが充電後にデジタルカメラ１００を使用した場合に、取得したレストラン情報を読み出して、地図情報とともに表示部１２１に表示させる。
【００８７】
また、本実施形態においては、デジタルカメラ１００が充電器２００から無線充電によって電力の供給を受ける場合について述べた。しかしながら、デジタルカメラ１００は、有線充電部をさらに備えてもよい。この場合において、カメラシステム制御部１３１は、充電動作に伴って実行される上記予約処理のうちの少なくとも一部を、有線による充電動作中に実行しないように制御してもよい。これについて、以下に説明する。
【００８８】
一般的に、デジタルカメラの有線による充電は、デジタルカメラとＡＣ電源とを、所定の長さの電気ケーブルを介して接続することによって実行される。このため、ユーザは、有線充電中のデジタルカメラを手にとって操作することができる。この場合、デジタルカメラ１００にて実行される処理は、デジタルカメラ１００の処理能力を超過してしまう可能性がある。ここで、上記したように、カメラシステム制御部１３１は、有線充電中に処理の一部を実行しないように制御する。これにより、ユーザが有線充電中のデジタルカメラ１００を操作した場合に、デジタルカメラ１００にて実行される処理を、デジタルカメラ１００の処理能力の範囲内に抑えることができる。なお、カメラシステム制御部１３１は、有線充電中にユーザによる操作が一定期間継続して行われなかった場合に、有線充電中に保留していた予約処理を実行してもよい。
【００８９】
また、本実施形態においては、ユーザが、予約処理設定画面５０１において、無線充電動作に伴って実行させる予約処理を個別に選択する場合について述べた。しかしながら、これに限らず、カメラシステム制御部１３１は、一部の予約処理を、ユーザからの選択を受けることなく、無線充電動作に伴って自動的に実行してもよい。例えば、カメラシステム制御部１３１は、ＲＡＷ現像処理および画像転送処理に関しては、ユーザからの選択を受けることなく、無線充電動作に伴って自動的に実行する。一方、カメラシステム制御部１３１は、美肌処理等の他の処理に関しては、ユーザからの選択を受け付けて、ユーザの選択に応じて実行する。
【００９０】
また、カメラシステム制御部１３１は、予約処理の全てを無線充電動作に伴って自動的に実行してもよい。具体的には、カメラシステム制御部１３１は、ユーザから、無線充電動作に伴って予約処理を実行するか否かの選択を受け付ける。そして、カメラシステム制御部１３１は、予約処理の実行が選択されている場合において、充電器２００にデジタルカメラ１００が載置されたと判断すると、予め定められた予約処理の全てを自動的に実行する。
【００９１】
また、本実施形態においては、デジタルカメラ１００は、画像転送を実行する場合において、充電器２００を介してＰＣ４００へ画像データを転送したが、これに限定されない。すなわち、デジタルカメラ１００は、ＰＣ４００へ有線または無線にて直接画像を転送することができてもよいし、ＰＣ以外の外部機器、例えば携帯電話を含むモバイル端末機器に転送することができてもよい。
【００９２】
また、本実施形態においては、カメラシステム制御部１３１が図８に示す動作フローに従って、各種処理を実行する場合について述べた。しかしながらこれに限らず、ユーザは、処理の実行順を指定することができてもよい。例として、デジタルカメラ１００から、処理された画像データをモバイル端末機器に転送する場合において、ユーザは、ＲＡＷ現像処理、リサイズ処理、および画像転送処理を選択し、この順序にて処理が実行されるように処理の実行順を指定する。そして、カメラシステム制御部１３１は、予約設定を受け付けて、充電動作に伴って、指定された順序に従って、各処理を実行してもよい。
【００９３】
また、カメラシステム制御部１３１は、ユーザからの指定によって、画像処理を実行する前に画像データをＰＣ４００へ転送し、ＰＣ４００に内蔵されたプログラムを用いて、画像データに対して画像処理を実行させてもよい。この場合、カメラシステム制御部１３１は、二次電池１４４を無線充電するのを保留し、画像転送処理を優先的に実行する。また、カメラシステム制御部１３１は、デジタルカメラ１００の処理速度とＰＣ４００の処理速度とを比較し、その結果に基づいて、画像処理をデジタルカメラ１００またはＰＣ４００のいずれの側で実行するのかを選択してもよい。なお、これら処理を実行するシステムを、プログラムを用いたソフトウェアとして構築してもよいし、ハードウェアとして構築してもよい。
【００９４】
なお、上記したように、本実施形態に係るデジタルカメラ１００は、ユーザがデジタルカメラ１００を充電器２００にセットし、デジタルカメラ１００が充電可能な状態となったことをトリガーとして各種処理を実行する。また、デジタルカメラ１００は、無線充電の前後、または無線充電を保留させた状態にて画像転送等の無線通信を伴う処理を実行する。すなわち、本実施形態において、充電動作に伴って実行する処理とは、デジタルカメラ１００が充電器２００から給電を受けている間に実行する処理のみならず、デジタルカメラ１００が充電可能な状態にて実行される上記した全ての処理を含む。
【００９５】
また、カメラシステム制御部１３１は、図４に示すＲＡＷ現像設定画面６０１を介して、一つのＲＡＷ画像データに対して異なるＲＡＷ現像パラメータを適用した複数パターンの予約設定をユーザから受け付けてもよい。この場合、カメラシステム制御部１３１は、一つのＲＡＷ画像データから、異なるＲＡＷ現像パラメータによって現像された複数の画像データを生成する。
【００９６】
また、上記した実施形態においては、磁気共鳴方式の無線充電について述べたが、他の如何なる無線充電方式を適用してもよい。例えば、給電側の電極と受電側の電極とを対向させ、電極間に発生する誘導電界を利用して給電する電界結合方式を用いることができる。
【００９７】
また、上記した実施形態においては、受電回路１４３および二次電池１４４がカメラ本体１２０に一体的に組み込まれている場合について述べた。しかしながら、これに限らず、受電回路１４３および二次電池１４４は、カメラ本体１２０に必要に応じて取り付けられる外付け機器として構成されてもよい。同様に、上記した実施形態においては、ＧＰＳユニット１４０および無線通信部１４２といった外部通信機器がカメラ本体１２０に一体的に組み込まれている場合について述べた。しかしながら、これに限らず、ＧＰＳユニット１４０および無線通信部１４２は、カメラ本体１２０に必要に応じて取り付けられる外付け機器として構成されてもよい。
【００９８】
また、本実施形態においては、電子機器の例としてデジタルカメラ１００を説明したが、他の電子機器であっても良い。すなわち、ミラーレス一眼カメラ、デジタルビデオカメラ等の撮像装置に限らず、携帯電話、携帯音楽プレーヤー等の電子機器であれば、本実施形態の概念を同様に適用することができる。
【００９９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１００】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１０１】
１００  デジタルカメラ、１０１  光軸、１１０  交換レンズ、１１２  レンズシステム制御部、１１３  モータ駆動回路、１１５  レンズメモリ、１１６  ズームレンズ、１１９  レンズマウント接点、１２０  カメラ本体、１２１  表示部、１２２  操作部材、１２３  十字ボタン、１２４  決定ボタン，１２５，１２６  ＬＥＤ、１２９  カメラマウント接点、１３０  撮像素子、１３１  カメラシステム制御部、１３２  撮像素子駆動回路、１３３  Ａ／Ｄ変換器、１３４  画像処理部、１３５  システムメモリ、１３６  内部メモリ、１３７  表示制御部、１３８  記録制御部、１３９  操作受付部、１４０  ＧＰＳユニット、１４２  無線通信部、１４３  受電回路、１４４  二次電池、１５０  メモリカード、１５１  記録部、２００  充電器、２０１  充電制御部、２０２  充電通信部、２０３  給電回路、２０４  音声出力部、２１０  電源ケーブル、２１１  スイッチ、２１２  スピーカ、２２０  上面、３００  家庭用ＡＣ電源、４００  ＰＣ、４０１  通信ケーブル、５０１，８０１  予約処理設定画面、５０２，６０２，７０２  カーソル、５０３  予約処理設定項目、５０４  一括処理設定項目、５０５  画像処理項目、５０６  画像転送項目、５０７  ＧＰＳ情報更新項目、５０８  画像選択ボタン、６０１  ＲＡＷ現像設定画面、６０３  戻るボタン、７０１  画像選択画面、７０３  チェックボックス、７０４  チェック印、７１１，７１２，７１３，７１４，７１５，７１６，７１７，７１８，７１９，８０２，９１１，９１５，９１６  画像、７２０  ＯＫボタン、７２１  決定画面、９０１  進行状況画面
【図１】
2013132139.tif 000003
【図２】
2013132139.tif 000004
【図３】
2013132139.tif 000005
【図４】
2013132139.tif 000006
【図５】
2013132139.tif 000007
【図６】
2013132139.tif 000008
【図７】
2013132139.tif 000009
【図８】
2013132139.tif 000010
【図９】
2013132139.tif 000011